(57)【要約】【課題】椅子型マッサージ機に設けられた下肢用マッサージ装置におけるエア配管構造に関し、この下肢用マッサージ装置における最適なエア配管構造を提供する。【解決手段】本発明の椅子型マッサージ機２は、座部３と、座部３の後方に設けられた背もたれ部４と、座部３側又は背もたれ部４側に設けられたコンプレッサと、座部３の前部に前後揺動自在に及び／又は回動自在に取り付けられ且つコンプレッサからの空気により膨張する複数の空気袋２０，２１，２５，２７を有することで座部３に着座した使用者の下肢をマッサージする下肢用マッサージ装置１と、を備えた椅子型マッサージ機２において、コンプレッサから複数の空気袋２０，２１，２５，２７へ空気を供給するエア配管４１が、空気袋２０，２１，２５，２７の設置数より少ない本数をもって、下肢用マッサージ装置１内へ導入されている。【選択図】図６
2014140464.tif 000002
【特許請求の範囲】
【請求項１】
座部と、前記座部の後方に設けられた背もたれ部と、前記座部側又は背もたれ部側に設けられたコンプレッサと、前記座部の前部に揺動自在に及び／又は回動自在に取り付けられ且つ前記コンプレッサからの空気により膨張する複数の空気袋を有することで前記座部に着座した使用者の下肢をマッサージする下肢用マッサージ装置と、を備えた椅子型マッサージ機において、
前記コンプレッサから複数の空気袋へ空気を供給するエア配管が、前記空気袋の設置数より少ない本数をもって、下肢用マッサージ装置内へ導入されていることを特徴とする椅子型マッサージ機。
【請求項２】
前記コンプレッサから複数の空気袋へ空気を供給する１本のエア配管が、下肢用マッサージ装置内へ導入されていることを特徴とする請求項１に記載の椅子型マッサージ機。
【請求項３】
前記座部に対する下肢用マッサージ装置の揺動軸心又は回動軸心の近傍を通るように、前記エア配管が前記下肢用マッサージ装置内へ導入されていることを特徴とする請求項１又は２に記載の椅子型マッサージ機。
【請求項４】
前記下肢用マッサージ装置は、左右一対に設けられ且つ使用者の下肢を挿入可能となっている挿入凹部と、この挿入凹部の内壁に設けられ且つ挿入された下肢をマッサージする下肢用マッサージ機構と、を備え、
前記下肢用マッサージ機構は、挿入凹部の内側に配備された第１の空気袋〜第Ｎの空気袋を有しており、
前記下肢用マッサージ装置内へ導入されたエア配管は、当該下肢用マッサージ装置内で分岐し、分岐した分岐配管が前記第１の空気袋〜第Ｎの空気袋のそれぞれへと繋がっていることを特徴とする請求項１〜３のいずれかに記載の椅子型マッサージ機。
【請求項５】
前記下肢用マッサージ装置内へ導入されたエア配管は、当該下肢用マッサージ装置内に配備された電磁弁を介して、前記第１の空気袋〜第Ｎの空気袋のそれぞれへと繋がっていることを特徴とする請求項４に記載の椅子型マッサージ機。
【請求項６】
前記電磁弁を制御することで、前記複数の空気袋の膨張、収縮を制御することを特徴とする請求項５に記載の椅子型マッサージ機。
【発明の詳細な説明】
【技術分野】
【０００１】
本発明は、椅子型マッサージ機に関するものであり、特に、この椅子型マッサージ機に設けられた下肢用マッサージ装置のエア配管構造に関する。
【背景技術】
【０００２】
従来より、下肢をマッサージするための下肢用マッサージ装置が開発されており、このような下肢用マッサージ装置は、例えば、椅子型マッサージ機の座部の前側に取り付けられている。
特許文献１は、座部の前方に上下に回動自在に配されて座部への着座者の下肢を保持するレッグレストと、レッグレストの先端に上下に回動自在に配されて着座者の足先部を保持するフットレストとを備えるとともに、これらレッグレスト及びフットレストは着座者の下肢や足先部に対するマッサージのためのマッサージ手段を備えている椅子式マッサージ機を開示する。
【０００３】
また、特許文献２は、被施療者が着座する座部と、該座部前方に配されるフットレストとを備える椅子型マッサージ機であって、前記フットレストは、被施療者の足底を支持する足底支持面と、該足底支持面の後側に立設されて被施療者の踵の後部を支持する踵支持面と、該踵支持面に設けられて被施療者の踵の後部に押圧刺激を与える踵施療部とを有している椅子型マッサージ装置を開示する。
【先行技術文献】
【特許文献】
【０００４】
【特許文献１】特開２００２−２３８９６３号公報
【特許文献２】特開２００６−８７９４５号公報
【発明の概要】
【発明が解決しようとする課題】
【０００５】
これら特許文献１，２に開示された下肢用マッサージ装置（フットレスト）は、内部に空気袋（エアバッグ）を複数個備え、椅子型マッサージ機の本体側に備えられたコンプレッサから加圧された空気（エア）が供給されることで、これら空気袋を膨張させることで、下肢に対して押圧マッサージを行うものとされている。
空気袋へエアを供給するためには、コンプレッサと下肢用マッサージ装置内に配備された空気袋とをエア供給用の配管（エア配管）により連結することになる。特許文献１、２に開示された下肢用マッサージ装置は、椅子型マッサージ機の座部の前部に前後方向に向かって揺動自在に取り付けられている。そのため、特許文献１，２には明示されてはいないものの、下肢用マッサージ装置の揺動軸の近傍を通るように、本体側コンプレッサ側から延びたエア配管が下肢用マッサージ装置の内部へと延び、空気袋へと連結される構造が採用されることが多い。
【０００６】
しかしながら、下肢用マッサージ装置内に配備された空気袋をそれぞれ駆動するためには、空気袋の個数に応じた複数のエア配管を束ねた上で、椅子型マッサージ機本体側から下肢用マッサージ装置へと導かねばならない。複数束ねられたエア配管は径大となると共に剛性もあり、エア配管の取り回しが大変であった。また、エア配管は、下肢用マッサージ装置の揺動軸の近傍を通るように配備されているため、下肢用マッサージ装置の揺動により、エア配管が必要以上に捻れたり、最悪の場合、下肢用マッサージ装置の揺動に伴い、エア配管が潰れたり破断したりする可能性も否めない。
【０００７】
本発明は、上記事情に鑑みてなされたものであって、下肢に対して快適な押しマッサージを実施可能とする下肢用マッサージ装置における最適なエア配管構造を提供することを目的とする。
【課題を解決するための手段】
【０００８】
前記目的を達成するため、本発明においては以下の技術的手段を講じた。
本発明の椅子型マッサージ機は、座部と、前記座部の後方に設けられた背もたれ部と、前記座部側又は背もたれ部側に設けられたコンプレッサと、前記座部の前部に揺動自在に及び／又は回動自在に取り付けられ且つ前記コンプレッサからの空気により膨張する複数の空気袋を有することで前記座部に着座した使用者の下肢をマッサージする下肢用マッサージ装置と、を備えた椅子型マッサージ機において、前記コンプレッサから複数の空気袋へ空気を供給するエア配管が、前記空気袋の設置数より少ない本数をもって、下肢用マッサージ装置内へ導入されていることを特徴とする。
【０００９】
好ましくは、前記コンプレッサから複数の空気袋へ空気を供給する１本のエア配管が、下肢用マッサージ装置内へ導入されていることよい。
好ましくは、前記座部に対する下肢用マッサージ装置の揺動軸心又は回動軸心の近傍を通るように、前記エア配管が前記下肢用マッサージ装置内へ導入されているとよい。
好ましくは、前記下肢用マッサージ装置は、左右一対に設けられ且つ使用者の下肢を挿入可能となっている挿入凹部と、この挿入凹部の内壁に設けられ且つ挿入された下肢をマッサージする下肢用マッサージ機構と、を備え、前記下肢用マッサージ機構は、挿入凹部の内側に配備された第１の空気袋〜第Ｎの空気袋を有しており、前記下肢用マッサージ装置内へ導入されたエア配管は、当該下肢用マッサージ装置内で分岐し、分岐した分岐配管が前記第１の空気袋〜第Ｎの空気袋のそれぞれへと繋がっているとよい。
【００１０】
好ましくは、前記下肢用マッサージ装置内へ導入されたエア配管は、当該下肢用マッサージ装置内に配備された電磁弁を介して、前記第１の空気袋〜第Ｎの空気袋のそれぞれへと繋がっているとよい。
好ましくは、前記電磁弁を制御することで、前記複数の空気袋の膨張、収縮を制御するとよい。
【発明の効果】
【００１１】
本発明に係る椅子型マッサージ機によれば、下肢に対して快適な押しマッサージを実施可能とする下肢用マッサージ装置における最適なエア配管構造を提供できる。
【図面の簡単な説明】
【００１２】
【図１】本発明の下肢用マッサージ機構が備えられた椅子型マッサージ機の外観斜視図である。
【図２】下肢用マッサージ装置の内部構造を示す左斜視図である。
【図３】下肢用マッサージ装置の外観を示す右斜視図である。
【図４】下肢用マッサージ装置の内部構造を示す左斜視図であって、左側の挿入凹部に設けられた第１の空気袋及び第３の空気袋を省略して描いた図である。
【図５】（ａ）は、下肢用マッサージ装置の水平断面を示した図であり、（ｂ）は、下肢が挿入された状態での下肢用マッサージ装置の水平断面を示した模式図である。
【図６】下肢用マッサージ装置の内部におけるエア配管の接続状態を示した図であり、コンプレッサ〜第１の空気袋を結ぶエア配管を示したものである。
【図７】下肢用マッサージ装置の内部におけるエア配管の接続状態を示した図であり、コンプレッサ〜第３の空気袋を結ぶエア配管を示したものである。
【図８】下肢用マッサージ装置の内部におけるエア配管の接続状態を示した図であり、コンプレッサ〜第２の空気袋及び第４の空気袋を結ぶエア配管を示したものである。
【発明を実施するための形態】
【００１３】
以下、本発明の実施形態を、図を基に説明する。
図１は、本発明に係る下肢用マッサージ装置１を備えた椅子型マッサージ機２を示している。
この椅子型マッサージ機２は、使用者が着座する座部３と、この座部３の後部に設けられた背もたれ部４と、座部３の前部に設けられたフットレスト部５を有している。本実施形態の場合、このフットレスト部５が下肢用マッサージ装置１となっている。
【００１４】
以下、椅子型マッサージ機２に座った使用者から見た方向を基準として、椅子型マッサージ機２を説明する。すなわち、図１，図５において紙面に記載された方向に従って、装置の説明を進める。
椅子型マッサージ機２の座部３は、上面に使用者が腰を下ろして着座できるように略水平に配備されている。座部３は、枠体と、この枠体の上に配備されたクッションと、枠体とクッションとを外側から覆うカバーとを備えている。座部３の下部には、この椅子型マッサージ機２を床面へ設置するための脚体（基礎フレーム）が設けられており、この脚体によって座部３が所定高さに支持されるようになっている。
【００１５】
座部３の左右両側には、肘掛部６がそれぞれ設けられている。肘掛部６は、底辺を床面に着けて起立するように設けられた板状の部材である。肘掛部６の上側は丸く湾曲した形状となっており、使用者が肘を載せやすいようになっている。
背もたれ部４は、使用者が背中からもたれられるように座部３の後側に配備された部材である。背もたれ部４は、座部３の後側に設けられた左右方向を向く軸回りに揺動自在に枢支されており、脚体内に配設されたリニアアクチュエータで構成されたリクライニング機構により、垂直に起立した状態から水平に倒れた状態にまでリクライニング可能となっている。また、背もたれ部４の内部には、揉みや叩きなどのマッサージ動作を行う背部用マッサージ機構（図示せず）が設けられている。
【００１６】
フットレスト部５、すなわち、椅子型マッサージ機２に取り付けられた下肢用マッサージ装置１は、座部３の下側に収納可能とされ、座部３の下側の収納位置から座部３の前方に進出することで使用者の下肢（くるぶしより上の脚部Ｃ、及びくるぶしより下の足部Ｆ）をマッサージ可能となっている。この下肢用マッサージ装置１の内部には、使用者の下肢に対して空気袋（エアバッグ）により押圧マッサージを行う下肢用マッサージ機構１０が搭載されている。
【００１７】
図１，図３に示すように、下肢用マッサージ装置１は、その前面に、使用者の下肢が挿入可能となっている左右一対の挿入凹部７，７が形成されている。即ち、下肢用マッサージ装置１の前面には、上下方向を向く挿入凹部７，７が２つ形成され、左右に所定間隔を開けて設けられている。この挿入凹部７，７は、互いが左右方向で対面するように形成された左右一対の側壁部８，８と、この左右一対の側壁部８，８の後端辺を左右方向に連結する底壁部９とから構成されている。
【００１８】
この挿入凹部７，７に下肢を挿入すると、内蔵された下肢用マッサージ機構１０によって、使用者の下肢（くるぶしより上であって膝より下の脚部Ｃ、及びくるぶしより下の足部Ｆ）が挟み込み押圧され、マッサージが施される。なお、この挿入凹部７，７は、布などのカバーにより覆われている。
図２，図４には、下肢用マッサージ装置１内に搭載された下肢用マッサージ機構１０が示されている。
【００１９】
下肢用マッサージ機構１０は、使用者の下肢を押圧マッサージ可能な複数の空気袋（エアバッグ）を有しており、座部３の下方に配備されたコンプレッサ４０から空気を供給されることで膨張し、空気が抜かれることで収縮する。
具体的には、下肢用マッサージ機構１０は、挿入凹部７，７に嵌入された脚部Ｃ（ふくらはぎ）の側面側に上下方向に沿って配備された左右一対の第１の空気袋２０と、挿入凹部７，７に嵌入された脚部Ｃの背面側に上下方向に沿って配備された左右一対の第２の空気袋２１とを有する。
【００２０】
具体的には、第１の空気袋２０及び第２の空気袋２１は、加圧された空気を貯留可能に形成された「長方形状の袋体」乃至は「楕円形状の袋体」であり、大きく膨張できるように蛇腹状に形成されている。
第１の空気袋２０は、左右一対の側壁部８，８のそれぞれに、その長手方向が上下方向となるように取り付けられている。この第１の空気袋２０内に空気が流入し膨張することで、挿入凹部７に差し込まれた下肢の脚部Ｃの左右側方が押圧マッサージされることとなる。一方、図３，図５に示されるように、挿入凹部７，７の底壁部９には、上下方向に長細く形成され且つ前方へ向けて突出した凸条部２２が設けられている。さらに、この凸条部２２を挟み且つ前方突出状に左右一対の第２の空気袋２１が配備されている。すなわち、挿入凹部７の底壁部９であって、左右一対の第２の空気袋２１の間には、上下方向に延びた凸条部２２が形成されている。
【００２１】
詳しくは、図５に示すように、上下方向に延びるように形成された第２の空気袋２１の後端辺が、凸条部２２の左右両側に隣接するように２つの突出片２３を介して取り付けられており、第２の空気袋２１の前端辺は、挿入凹部７の側壁部８に向けて前方広がりとなるように配備されている。つまり、第２の空気袋２１の前端部は、後端側の開口４４幅よりも幅広となるように逆ハの字型となっている。
【００２２】
第２の空気袋２１を取り付けるための突出片２３は可撓性を有しているため、第２の空気袋２１は若干ながら左右方向に揺動自在な構造となっている。すなわち第２の空気袋２１は、突出片２３により挿入凹部７，７の内壁部（底壁部９）に対してヒンジ構造で取り付けられていることになる。左右一対の第２の空気袋２１，２１は、突出片２３（ヒンジ部）が左右方向に対面するように配備されているので、第２の空気袋２１が膨張するにつれて、対面する第２の空気袋２１は離反方向に移動しさらに前方広がりとなることが可能である。
【００２３】
また、側面視で、第１の空気袋２０の後部と第２の空気袋２１の前部とはオーバラップする（重なる）ように配備されている。
一方、図２，図３から明らかなように、左右一対の挿入凹部７，７の下端部は前方側に張り出しており、この挿入凹部７，７は、側面視で略ブーツ状となっている。挿入凹部７，７の前方側に張り出した部分（前方張出部２４）の内側には、挿入凹部７，７に嵌入された足部Ｆの側面側に沿って前後方向を向くように配備された左右一対の第３の空気袋２５が備えられている。第３の空気袋２５は、空気を貯留可能に形成された長方形状の袋体であり、大きく膨張できるように蛇腹状に形成されている。図示しない空気供給部（エアコンプレッサ４０、弁などを含む）から空気を供給されることで膨張し、空気が抜かれることで収縮する。この第３の空気袋２５は、挿入凹部７の前方張出部２４において左右方向で対面する内側壁３０，３０のそれぞれに配備されている。
【００２４】
また、図２〜図４などに示すように、挿入凹部７の前方張出部２４の下側壁３１には、挿入凹部７に嵌入された足部Ｆの底面を押圧する第４の空気袋２７が備えられている。第４の空気袋２７は、空気を貯留可能に形成された矩形状の袋体であり、大きく膨張できるように蛇腹状に形成されている。第４の空気袋２７は、左右一対に配備された第３の空気袋２５，２５の間に位置づけられる。この第４の空気袋２７の上方には、第４の空気袋２７に接するように押厚板２８が配備されいる。押厚板２８の上表面に複数の突起２９が形成されている。
【００２５】
図４から明らかなように、押厚板２８の前部は、挿入凹部７の前方張出部２４の下側壁に対してヒンジ連結されている。それ故、第４の空気袋２７へ空気が供給され、大きく膨張した際に、押厚板２８はその後方が上昇し、押厚板２８の上表面に形成された突起２９で、使用者の足の裏を下側から押しマッサージすることができるようになる。
以上述べた構成の下肢用マッサージ装置１によれば、第１の空気袋２０及び第２の空気袋２１を膨張、収縮することで、脚部Ｃに対する効果的なマッサージを行うことができるようになる。特に、挿入凹部７，７に使用者の下肢を嵌め入れた場合、脚部Ｃの後側が凸条部２２に当接し、それ以上後方へ行かなくなる。その状態において、第２の空気袋２１が脚部Ｃの後側を左右から押圧するために、使用者は、脚部Ｃの後側を左右から摘まれるような心地よいマッサージを受けることが可能となる。
【００２６】
また、左右一対に配備された第３の空気袋２５，２５を膨張、収縮することで、足部Ｆを側方から挟み込まれるような心地よいマッサージを受けることができる。この第３の空気袋２５の膨張と協働して、第４の空気袋２７を膨張させることで、足部Ｆの裏側の押しマッサージを行うことができるようになる。
なお、本実施形態の場合、各挿入凹部７，７が上下方向で２分割されていて、挿入凹部７の下側部分３３が上側部分３２に対して、上下方向にスライド自在な構成とされている。加えて、図示しない付勢手段（バネ手段）により、下側部分３３が上側部分３２に近接するように付勢されている。この構成であれば、使用者が足部Ｆを蹴り出すようにし、付勢手段による付勢力に抗して下側部分３３を上側部分３２から引き離す（挿入凹部７を引き延ばす）ことができる。このようにすることで、様々な体格の使用者の下肢に対応することが可能となる。
【００２７】
本実施形態の場合、挿入凹部７の上側部分３２に、第１の空気袋２０と第２の空気袋２１とが配備され、挿入凹部７の下側部分３３に、第３の空気袋２５と第４の空気袋２７とが配備されるものとなっている。
以上述べた、下肢用マッサージ装置１においては、第１の空気袋２０〜第４の空気袋２７を膨張、収縮することで、脚部Ｃに対する効果的なマッサージを行うことが可能となる。
【００２８】
ところで、フットレスト部５、すなわちの下肢用マッサージ装置１の内部には、第１の空気袋２０、第２の空気袋２１、第３の空気袋２５、第４の空気袋２７に対して、エアを供給するエア供給用の配管（エア配管４１）が配設されている。また、第１の空気袋２０〜第４の空気袋２７に対してエアを流通させたり遮断させたりする複数の電磁弁４２が配備されている。
【００２９】
本実施形態の場合、電磁弁４２は３つ備えられており、下肢用マッサージ装置１の内部であって右側の挿入凹部７と右側の挿入凹部７との間に上下に並ぶように設けられている。
図６〜図８に示すように、座部３の下方、すなわち椅子型マッサージ機２側に設けられたコンプレッサ４０から第１の空気袋２０〜第４の空気袋２７へ空気を供給するエア配管４１が、１本のエア配管４１とされ、この１本のエア配管４１（外部配管４３）が、下肢用マッサージ装置１の前後揺動軸乃至は回動軸の近傍、言い換えれば、フットレスト部５の側部に設けられた開口４４内を通って、下肢用マッサージ装置１の内部へと導入されるようになっている。この開口４４の中央を前後揺動軸乃至は回動軸が貫通する。
【００３０】
その後、１本の外部配管４３は、下肢用マッサージ装置１の内部を通り、電磁弁の下方から各電磁弁４２Ａ，４２Ｂ，４２Ｃに直列に接続されるようになっている。
図６は、下肢用マッサージ装置１の内部におけるエア配管４１の接続状態を示した図であり、コンプレッサ４０〜第１の空気袋２０を結ぶエア配管４１のみを示したものである。
【００３１】
図６に示すように、一番上に配備された電磁弁４２Ａからは、空気袋に延びるエア配管４１（内部配管４５）が延び、左右一対に設けられた挿入凹部７，７の側壁部８，８に取り付けられた第１の空気袋２０（右の脚部Ｃに対応する第１の空気袋２０，２０、左の脚部Ｃに対応する第１の空気袋２０，２０）へと繋がるようになっている。
したがって、電磁弁４２Ａを開状態とすることで、外部配管４３を介してコンプレッサ４０から供給されたエアが、内部配管４５を通って第１の空気袋２０へと供給される。供給されたエアにより第１の空気袋２０が膨張し、左右の脚部Ｃの側部が押圧マッサージされることとなる。電磁弁４２Ａを閉状態とすることで、第１の空気袋２０の膨張状態が維持でき、電磁弁４２Ａを操作し第１の空気袋２０を外部に連通状態とすることで、第１の空気袋２０を収縮させることができる。
【００３２】
また、図７は、下肢用マッサージ装置１の内部におけるエア配管４１の接続状態を示した図であり、コンプレッサ４０〜第３の空気袋２５を結ぶエア配管４１のみを示したものである。
図７に示すように、上から２つ目に配備された電磁弁４２Ｂからは、空気袋に延びるエア配管４１（内部配管４５）が延び、左右一対に設けられた挿入凹部７，７の前方張出部２４に配備されている第３の空気袋２５（右の足部Ｆに対応する第３の空気袋２５，２５、左の足部Ｆに対応する第３の空気袋２５，２５）へと繋がるようになっている。
【００３３】
したがって、電磁弁４２Ｂを開状態とすることで、外部配管４３を介してコンプレッサ４０から供給されたエアが内部配管４５を通って、第３の空気袋２５へと供給される。供給されたエアにより第３の空気袋２５が膨張し、左右の足部Ｆの側部が押圧マッサージされることとなる。電磁弁４２Ｂを閉状態とすることで、第３の空気袋２５の膨張状態が維持でき、電磁弁４２Ｂを操作し第３の空気袋２５を外部に連通状態とすることで、第３の空気袋２５を収縮させることができる。
【００３４】
また、図８は、下肢用マッサージ装置１の内部におけるエア配管４１の接続状態を示した図であり、コンプレッサ４０〜第２の空気袋２１及び第４の空気袋２７を結ぶエア配管４１のみを示したものである。
図８に示すように、一番下に配備された電磁弁４２Ｃからは、空気袋２に延びるエア配管４１（内部配管４５）が延び、左右一対に設けられた挿入凹部７，７の側壁部８，８に設けられた第２の空気袋２１（右の脚部Ｃに対応する第２の空気袋２１，２１、左の脚部Ｃに対応する第２の空気袋２１，２１）へと繋がるようになっている。
【００３５】
電磁弁４２Ｃから第２の空気袋２１へと延びる内部配管４５は、その途中で分岐し、挿入凹部７の前方張出部２４の下側壁３１に設けられた第４の空気袋２７へも繋がるようになっている。
したがって、電磁弁４２Ｃを開状態とすることで、外部配管４３を介してコンプレッサ４０から供給されたエアが内部配管４５を通って、第２の空気袋２１へと供給される。供給されたエアにより第２の空気袋２１が膨張し、左右の脚部Ｃの背面が押圧マッサージされることとなる。電磁弁４２Ｃを閉状態とすることで、第２の空気袋２１の膨張状態が維持でき、電磁弁４２Ｃを操作し第２の空気袋２１を外部に連通状態とすることで、第２の空気袋２１を収縮させることができる。
【００３６】
合わせて、電磁弁４２Ｃを開状態とすることで、外部配管４３を介してコンプレッサ４０から供給されたエアが内部配管４５を通って、第４の空気袋２７へと供給される。供給されたエアにより第４の空気袋２７が膨張し、左右の足部Ｆの底部が押圧マッサージされることとなる。電磁弁４２Ｃを閉状態とすることで、第４の空気袋２７の膨張状態が維持でき、電磁弁４２Ｃを操作し第４の空気袋２７を外部に連通状態とすることで、第４の空気袋２７を収縮させることができる。
【００３７】
以上述べたように、本発明の椅子型マッサージ機２では、下肢用マッサージ装置１すなわちフットレスト部５の内部に下肢用マッサージ機構１０を有しており、この下肢用マッサージ機構１０は、挿入凹部７の内側に配備された第１の空気袋〜第４の空気袋を有しており、フットレスト部５内へ導入された１本のエア配管４１（外部配管４３）は、フットレスト部５内で分岐し、電磁弁４２を介した上で分岐配管（内部配管４５）となり、この内部配管４５が第１の空気袋２０〜第４の空気袋２７のそれぞれへと繋がっている。
【００３８】
係る構成により、従来のように、空気袋の個数に応じた複数のエア配管４１を束ねた上で、椅子型マッサージ機２の本体側から下肢用マッサージ装置１へと導く必要がなくなり、エア配管４１の取り回しが非常に容易となる。本実施形態の外部配管４３は１本であり、下肢用マッサージ装置１の揺動軸の近傍を通るように配備されているため、下肢用マッサージ装置１の揺動により、エア配管４１が必要以上に捻れたり、エア配管４１が潰れたり破断したりする危険性を回避できる。
【００３９】
また、空気袋へ供給するエアを制御する電磁弁４２Ａ，４２Ｂ，４２Ｃが第１の空気袋２０〜第４の空気袋２７に隣接するように配備されているため、電磁弁４２Ａ，４２Ｂ，４２Ｃを制御してから、実際に第１の空気袋２０〜第４の空気袋２７が膨張するまでの時間に遅れ（制御遅れ）が発生することがない。加えて、外部配管４３が１本となったため、コンプレッサ４０〜空気袋２０，２１，２５，２７までの配管の容積が従来に比して非常に小さいものとなっている（小体積である）。したがって、コンプレッサ４０を大容量のものとする必要がなく、空気袋２０，２１，２５，２７の容量と略同様量の能力のものとすることができ、コンプレッサ４０の小型化、省コスト化を図ることができる。
【００４０】
今回開示された実施形態はすべての点で例示であって制限的なものではないと考えられるべきである。本発明の範囲は前記した説明ではなくて特許請求の範囲によって示され、特許請求の範囲と均等の意味及び範囲内でのすべての変更が含まれることが意図される。
【符号の説明】
【００４１】
１  下肢用マッサージ装置
２  椅子型マッサージ機
３  座部
４  背もたれ部
５  フットレスト部
６  肘掛部
７  挿入凹部
８  側壁部
９  底壁部
１０  下肢用マッサージ機構
２０  第１の空気袋
２１  第２の空気袋
２２  凸条部
２３  突出片
２４  前方張出部
２５  第３の空気袋
２７  第４の空気袋
２８  押厚板
２９  突起
３０  内側壁
３１  下側壁
３２  上側部分
３３  下側部分
４０  コンプレッサ
４１  エア配管
４２  電磁弁
４３  外部配管
４４  開口
４５  内部配管
Ｃ  脚部
Ｆ  足部
【図１】
2014140464.tif 000003
【図２】
2014140464.tif 000004
【図３】
2014140464.tif 000005
【図４】
2014140464.tif 000006
【図５】
2014140464.tif 000007
【図６】
2014140464.tif 000008
【図７】
2014140464.tif 000009
【図８】
2014140464.tif 000010